(57)【要約】【課題】樹脂製の２つのケース部材を溶着により接合する樹脂ケースにおいて、溶着部の剥がれや２つのケース部材の分解を防止する。【解決手段】第１ケース部材１に嵌合突起部１４を設け、第２ケース部材２に嵌合突起部１４と嵌合される嵌合フック部２１を設ける。また、第１ケース部材１と第２ケース部材２の接合が完了した時点では、嵌合突起部１４と嵌合フック部２１は嵌合できない寸法関係になっている。そして、嵌合フック部２１を延ばして、嵌合フック部２１の連結部２１１を嵌合突起部１４に嵌合させる。このように、嵌合フック部２１を変形させて嵌合突起部１４に嵌合することにより、嵌合フック部２１の復元力により、溶着部に対して加圧力を作用させる。【選択図】図５
2014024197.tif 000002
【特許請求の範囲】
【請求項１】
樹脂製の２つのケース部材（１、２）を溶着により接合する樹脂ケースにおいて、
前記２つのケース部材のうち一方のケース部材は嵌合突起部（１４）を備え、他方のケース部材は前記嵌合突起部と嵌合される嵌合フック部（２１）を備え、
前記嵌合フック部が変形して前記嵌合突起部と嵌合され、前記嵌合フック部の復元力により、溶着部に対して加圧力が作用するように構成されていることを特徴とする樹脂ケース。
【請求項２】
前記嵌合フック部は、前記ケース部材の本体部（２２）から平行に延びる２つの脚部（２１０）と、前記２つの脚部を連結するとともに前記嵌合突起部に当接する連結部（２１１）とを備え、
前記２つの脚部は、一方の脚部と他方の脚部の形状が異なっていることを特徴とする請求項１に記載の樹脂ケース。
【請求項３】
前記２つのケース部材が対向する面を対向面（１０、２０）としたとき、
一方のケース部材は、他方のケース部材の対向面側に向かって突出し且つ接合時に先端部が溶融する溶着突起部（１２）と、前記溶着突起部の先端部が溶融後に前記他方のケース部材の対向面に当接するストッパ面（１３）とを備えることを特徴とする請求項１または２に記載の樹脂ケース。
【発明の詳細な説明】
【技術分野】
【０００１】
本発明は、樹脂製の２つのケース部材を溶着により接合する樹脂ケースに関するものである。
【背景技術】
【０００２】
従来の樹脂ケースとして、樹脂製の２つのケース部材を溶着により接合するものが提案されている。そして、一方のケース部材に、他方のケース部材側に向かって突出する溶着突起部を設け、溶着突起部の先端部を溶融させて２つのケース部材を接合することにより、強固な溶着部を得るようにしている（例えば、特許文献１参照）。
【先行技術文献】
【特許文献】
【０００３】
【特許文献１】特開２００８−３０２７００号公報
【発明の概要】
【発明が解決しようとする課題】
【０００４】
しかしながら、例えば車両に搭載される樹脂ケースにおいて、車両振動により溶着部を引き剥がす力が作用することにより、溶着部が一部剥がれて気密性が保たれなくなったり、或いは、溶着部が全て剥がれて２つのケース部材が分解してしまう虞があった。
【０００５】
本発明は上記点に鑑みて、樹脂製の２つのケース部材を溶着により接合する樹脂ケースにおいて、溶着部の剥がれや２つのケース部材の分解を防止することを目的とする。
【課題を解決するための手段】
【０００６】
上記目的を達成するため、請求項１に記載の発明では、樹脂製の２つのケース部材（１、２）を溶着により接合する樹脂ケースにおいて、２つのケース部材のうち一方のケース部材は嵌合突起部（１４）を備え、他方のケース部材は嵌合突起部と嵌合される嵌合フック部（２１）を備え、嵌合フック部が変形して嵌合突起部と嵌合され、嵌合フック部の復元力により、溶着部に対して加圧力が作用するように構成されていることを特徴とする。
【０００７】
これによると、溶着部に作用する加圧力は溶着部を引き剥がす力に対抗するため、溶着部の剥がれや２つのケース部材の分解を防止することができる。
【０００８】
請求項２に記載の発明では、請求項１に記載の樹脂ケースにおいて、嵌合フック部は、ケース部材の本体部（２２）から平行に延びる２つの脚部（２１０）と、２つの脚部を連結するとともに嵌合突起部に当接する連結部（２１１）とを備え、２つの脚部は、一方の脚部と他方の脚部の形状が異なっていることを特徴とする。
【０００９】
ところで、嵌合フック部が左右対称形状である場合は、第２ケース部材を成形する際に嵌合フック部の中心部にウェルドが形成され易い。そして、ウェルド部は他の部位よりも強度が低いため、ウェルド部が嵌合突起部に当接することは望ましくない。
【００１０】
これに対し、請求項２に記載の発明では、一方の脚部と他方の脚部の形状が異なっているため、第２ケース部材を成形する際に溶融樹脂の流動バランスが崩れ、嵌合フック部の中心部に位置して嵌合突起部に当接する連結部には、ウェルドが形成されにくい。
【００１１】
請求項３に記載の発明では、請求項１または２に記載の樹脂ケースにおいて、２つのケース部材が対向する面を対向面（１０、２０）としたとき、一方のケース部材は、他方のケース部材の対向面側に向かって突出し且つ接合時に先端部が溶融する溶着突起部（１２）と、溶着突起部の先端部が溶融後に他方のケース部材の対向面に当接するストッパ面（１３）とを備えることを特徴とする。
【００１２】
ところで、接合時に溶着突起部等が溶融するため、接合後の２つのケース部材は、対向面に対して直交する方向の相対位置関係が大きくばらついてしまう。
【００１３】
これに対し、請求項３に記載の発明では、溶着突起部の先端部が溶融すると、他方のケース部材の対向面と一方のケース部材のストッパ面とが当接して、対向面に対して直交する方向の２つのケース部材の相対位置が決められるため、２つのケース部材の相対位置関係のばらつきを小さくすることができる。
【００１４】
したがって、嵌合突起部と嵌合フック部の相対位置関係のばらつきも小さくすることができ、嵌合フック部の復元力により溶着部に対して確実に加圧力を作用させることができる。
【００１５】
なお、この欄および特許請求の範囲で記載した各手段の括弧内の符号は、後述する実施形態に記載の具体的手段との対応関係を示すものである。
【図面の簡単な説明】
【００１６】
【図１】本発明の一実施形態に係る樹脂ケースを採用したスピーカーの斜視図である。
【図２】図１のスピーカーの正面図である。
【図３】図２のＡ−Ａ断面図である。
【図４】接合前の状態を示す図２のＢ−Ｂ断面図である。
【図５】接合後の状態を示す図２のＢ−Ｂ断面図である。
【図６】図１のスピーカーにおける第２ケース部材の斜視図である。
【発明を実施するための形態】
【００１７】
図１〜３に示すように、スピーカーは、樹脂製の第１ケース部材１、樹脂製の第２ケース部材２、および樹脂製のカバー３によって、筐体が構成されている。そして、このスピーカーは、車両の警報器として用いられ、車室外（例えば車両のフロントバンパー内）に配置される。
【００１８】
第１ケース部材１は、略円筒状の筒部１１と、筒部１１内の空間を軸方向に２分割するようにして筒部１１内に設けられた隔壁１２とを備えている。筒部１１の一端に、円板状の第２ケース部材２が溶着にて気密的に接合されている。筒部１１の他端に、円板状のカバー３が嵌合されている。そして、第１ケース部材１と第２ケース部材２とによって内部空間としての第１空間４が形成され、第１ケース部材１とカバー３とによって外部空間としての第２空間５が形成されている。
【００１９】
隔壁１２には、第１空間４と第２空間５とを連通させる円形の貫通孔１２０が形成されている。そして、電気信号に基づいて音を発生させる発音体６が、貫通孔１２０を塞ぐようにして第１空間４内に配置されている。発音体６は、隔壁１２に接着にて気密的に接合されている。第１ケース部材１には、発音体６と図示しない外部ハーネスとを接続する接続端子７が圧入されている。
【００２０】
第２空間５は、筒部１１に設けられた放音孔（図示せず）、およびカバー３に設けられた放音孔（図示せず）を介して、外部に連通している。そして、発音体６が発した音が放音孔を介して外部に放出されるようになっている。
【００２１】
第１ケース部材１と第２ケース部材２は、それらの軸方向に重ねられてレーザ溶着により接合される。なお、レーザ溶着の際、第１ケース部材１と第２ケース部材２は、それらの軸方向に沿って治具（図示せず）により加圧力を加えられる。以下、その加圧力の作用方向を溶着時加圧方向という。
【００２２】
第１ケース部材１は、レーザ光に対して吸収率が高い吸収性樹脂材よりなる。一方、レーザ光が照射される側の第２ケース部材２は、レーザ光に対して透過率が高い透過性樹脂材よりなる。
【００２３】
図４、図５に示すように、第１ケース部材１における溶着時加圧方向の一端面、換言すると、第１ケース部材１における第２ケース部材２に対向する対向面１０には、第２ケース部材２における第１ケース部材１に対向する対向面２０に向かって突出する溶着突起部１２が形成されている。この溶着突起部１２は、断面形状は３角形で、環状に連続している。また、溶着突起部１２は、接合時に先端部が溶融する。
【００２４】
第１ケース部材１の対向面１０には、溶着突起部１２の先端部が溶融後に第２ケース部材２の対向面２０に当接するストッパ面１３が形成されている。このストッパ面１３は、環状に連続している。
【００２５】
第１ケース部材１における筒部１１の外周面には、外方に向かって突出する嵌合突起部１４が形成されている。この嵌合突起部１４は、筒部１１の周方向に沿って４個設けられている。
【００２６】
図４〜６に示すように、第２ケース部材２には、嵌合突起部１４と嵌合される嵌合フック部２１が４個形成されている。この嵌合フック部２１は、略Ｕ字状になっており、第２ケース部材２の本体部２２から平行に延びる２つの脚部２１０と、２つの脚部２１０を連結し且つ嵌合突起部１４に当接する連結部２１１とを備えている。
【００２７】
また、２つの脚部２１０は、一方の脚部と他方の脚部の形状が異なっている。より詳細には、一方の脚部と他方の脚部は、断面形状および断面積が異なっている。このため、第２ケース部材２を成形する際に溶融樹脂の流動バランスが崩れ、嵌合フック部２１の中心部に位置する連結部２１１には、ウェルドが形成されにくくなっている。
【００２８】
なお、嵌合突起部１４および嵌合フック部２１のうち、それらが嵌合した状態のときに互いに当接する部位を、以下、突起部側当接部１４０およびフック側当接部２１２という。
【００２９】
また、嵌合突起部１４のうち、嵌合突起部１４と嵌合フック部２１が嵌合する前の時点で嵌合フック部２１の連結部２１１が当接する部位を、以下、ガイド面１４１という。このガイド面１４１は、第１ケース部材１の軸線に対して傾斜しており、より詳細には、第１ケース部材１における対向面１０側から他端側に向かって第１ケース部材１の軸線に近づくように傾斜している。
【００３０】
ここで、第１ケース部材１のストッパ面１３から突起部側当接部１４０までの、自由状態での溶着時加圧方向の寸法は、第２ケース部材２の対向面２０からフック側当接部２１２までの、溶着時加圧方向の寸法よりも、約０．２ｍｍ長くなっている。因みに、嵌合フック部２１の溶着時加圧方向の寸法は、約１０ｍｍである。
【００３１】
第１ケース部材１と第２ケース部材２を一体化する際には、まず、第１ケース部材１と第２ケース部材２を重ね合わせ、治具により加圧力を加えた状態で第１ケース部材１と第２ケース部材２を保持する（図４参照）。
【００３２】
続いて、第２ケース部材２側から溶着突起部１２に向かってレーザ光を照射する。このレーザ光の照射により、溶着突起部１２の先端部が溶融し、また第２ケース部材２における溶着突起部１２の先端部と接触している部位が溶融して、第１ケース部材１と第２ケース部材２が接合される。
【００３３】
このとき、溶着突起部１２の先端部等が溶融すると、第１ケース部材１と第２ケース部材２はそれらが近接する向きに相対移動する。そして、ストッパ面１３と第２ケース部材２の対向面２０とが当接して、第１ケース部材１と第２ケース部材２の、溶着時加圧方向の相対位置が決められるため、第１ケース部材１と第２ケース部材２の相対位置関係のばらつきを小さくすることができる。
【００３４】
前述したように、第１ケース部材１のストッパ面１３から突起部側当接部１４０までの、自由状態での溶着時加圧方向の寸法は、第２ケース部材２の対向面２０からフック側当接部２１２までの溶着時加圧方向の寸法よりも長いため、第１ケース部材１と第２ケース部材２の接合が完了した時点では、嵌合突起部１４と嵌合フック部２１は嵌合しておらず、嵌合フック部２１の連結部２１１が嵌合突起部１４のガイド面１４１に当接している。
【００３５】
続いて、嵌合フック部２１を溶着時加圧方向に沿って延ばして、嵌合フック部２１の連結部２１１を嵌合突起部１４に嵌合させる。すなわち、突起部側当接部１４０とフック側当接部２１２が当接した状態にする（図５参照）。
【００３６】
この際、嵌合突起部１４のガイド面１４１は、第１ケース部材１における対向面１０側から他端側に向かって第１ケース部材１の軸線に近づくように傾斜しているため、嵌合フック部２１の連結部２１１を嵌合突起部１４にスムーズに嵌合させることができる。
【００３７】
このように、嵌合フック部２１を変形させて嵌合突起部１４に嵌合すれば、嵌合フック部２１の復元力により、溶着部に対して加圧力が作用する。そして、この溶着部に作用する加圧力は、溶着部を引き剥がす力に対抗するため、溶着部の剥がれや、第１ケース部材１と第２ケース部材２の分解を防止することができる。
【００３８】
（他の実施形態）
上記実施形態では、第１ケース部材１に嵌合突起部１４を設け、第２ケース部材２に嵌合フック部２１を設けたが、第１ケース部材１に嵌合フック部を設け、第２ケース部材２に嵌合突起部を設けてもよい。
【００３９】
上記実施形態では、本発明をスピーカーのケースに適用したが、本発明はＥＣＵ等のケースにも適用することができる。
【００４０】
上記実施形態では、第１ケース部材１と第２ケース部材２をレーザ溶着により接合したが、第１ケース部材１と第２ケース部材２は熱板溶着や超音波溶着等により接合してもよい。
【符号の説明】
【００４１】
１    第１ケース部材
２    第２ケース部材
１４  嵌合突起部
２１  嵌合フック部
【図１】
2014024197.tif 000003
【図２】
2014024197.tif 000004
【図３】
2014024197.tif 000005
【図４】
2014024197.tif 000006
【図５】
2014024197.tif 000007
【図６】
2014024197.tif 000008